(57)【要約】【課題】電動機用端子箱において、端子を収容する空間の断面形状が、円筒形状又は略円筒形状であっても、より多くの端子を収容可能にする。【解決手段】本発明は、電動機の内部から導出される内部線２３と、電動機の外部から導入される外部線４０を接続するための端子接続部３０を有する端子箱１２を前記電動機１１に並設した端子箱付電動機１０に係るものである。この端子箱付電動機１０は、前記端子箱１２に、少なくとも内周面の一部が円弧状に形成された端子箱本体２８を用いると共に、該端子箱本体２８の円弧状の内周面に、円周方向に沿って複数の端子接続部３０を放射状に配置したことを特徴とする。【選択図】図１
2008252996.tif 000002
【特許請求の範囲】
【請求項１】
電動機の内部から導出される内部線と、電動機の外部から導入される外部線を接続するための端子接続部を有する端子箱を前記電動機に並設した端子箱付電動機において、前記端子箱に、少なくとも内周面の一部が円弧状に形成された端子箱本体を用いると共に、該端子箱本体の円弧状の内周面に、円周方向に沿って複数の端子接続部を放射状に配置したことを特徴とする端子箱付電動機。
【請求項２】
前記端子接続部を支持する支持台を前記端子箱本体の内周面に沿って一定間隔で放射状に設けたことを特徴とする請求項１に記載の端子箱付電動機。
【請求項３】
前記端子箱本体の内周面形状に対応する周面部を有し、該周面部に円周方向に沿って一定間隔で放射状に突出する前記支持台を設けた端子ホルダを前記端子箱本体に収容したことを特徴とする請求項２に記載の端子箱付電動機。
【請求項４】
前記端子接続部は、前記支持台に組付けられる互いに対向する一対の対向部と該対向部と逆方向に突出する突出部を有する接続金具で構成され、該接続金具の突出部に前記電動機の内部線を接続したことを特徴とする請求項２または３に記載の端子箱付電動機。
【請求項５】
前記接続金具は、金属プレートをＵ字形状に折り曲げて一対の対向部を形成し、該Ｕ字状に折り曲げた折り曲げ部の一部を切り起こして前記対向部と逆方向に突出する前記突出部を形成したことを特徴とする請求項４に記載の端子箱付電動機。
【請求項６】
前記接続金具の突出部に前記内部線を接続する挿通孔を形成し、該挿通孔に内部線を挿通して半田付けされていることを特徴とする請求項４または５に記載の端子箱付電動機。
【請求項７】
前記接続金具の一対の対向部と、前記支持台の互いに対応する位置に取付孔を形成するとともに、これら一対の対向部と該支持台を締結する締結具を介して前記外部線を共締めしたことを特徴とする請求項４ないし６のいずれか１項に記載の端子箱付電動機。
【請求項８】
前記端子箱の外壁を円筒状又は略円筒状に形成するとともに、前記電動機の出力軸が設けられた壁面と反対側の壁面に前記端子箱を並設し、該端子箱によって、前記電動機の内部線の導出孔を覆うようにしたことを特徴とする請求項１ないし７のいずれか１項に記載の端子箱付電動機。
【発明の詳細な説明】
【技術分野】
【０００１】
本発明は、電動機に関し、特に端子箱付電動機に関する。
【背景技術】
【０００２】
従来、電動機用端子箱において、端子を収容する空間の断面形状は四角形であることが多い。このような端子箱の一例は、特許文献１に開示されている。特許文献１に開示された端子箱は、端子を収容する空間の断面形状が四角形であり、端子箱自体は、電動機の駆動軸に対して水平方向に構成される側面に外付けされている。端子箱内には、内部リード線と外部リード線とを接続する端子板が設けられている。
【特許文献１】特開昭５７−２５１３３号公報
【発明の開示】
【発明が解決しようとする課題】
【０００３】
上記特許文献１では、前述のように、端子箱が、電動機の駆動軸に対して水平方向に構成される側面に外付けされている。しかしながら、設計上、駆動軸の軸線方向に配置される端面（電動機の前後面）に端子箱を設ける方が好ましい場合がある。電動機の前後面に端子箱を設けるときには、スペース及び美観を考慮して、端子箱の幅寸法を電動機の幅寸法とそろえることが望ましい。電動機は、多くの場合、円筒状又は略円筒状を有する外形を備えており、端子箱を、電動機の外形に沿って、円筒状又は略円筒状に構成することが想定される。このような外形の端子箱においては、通常、端子を収容する空間の断面形状も、円筒形状又は略円筒形状に構成されることになる。しかしながら、端子の収容に際して、特許文献１に開示されるように、内部線と外部線とが、端子台（特許文献１における端子板）上でそれぞれ直線状に配置される構成を採用すると、端子を収容する空間の断面形状が四角形である場合と比較して、収容できる端子の数が減少するという問題がある。
【０００４】
したがって、本発明の目的は、端子箱において、端子を収容する空間の断面形状が、円筒形状又は略円筒形状であっても、より多くの端子を収容できる端子箱付電動機を提供することにある。
【課題を解決するための手段】
【０００５】
本発明は、電動機の内部から導出される内部線と、電動機の外部から導入される外部線を接続するための端子接続部を有する端子箱を前記電動機に並設した端子箱付電動機に係るものである。この端子箱付電動機は、前記端子箱に、少なくとも内周面の一部が円弧状に形成された端子箱本体を用いると共に、該端子箱本体の円弧状の内周面に、円周方向に沿って複数の端子接続部を放射状に配置したことを特徴としている。
【０００６】
また、前記端子箱付電動機は、前記端子接続部を支持する支持台を前記端子箱本体の内周面に沿って一定間隔で放射状に設けることができる。
【０００７】
また、前記端子箱付電動機は、前記端子箱本体の内周面形状に対応する周面部を有し、該周面部に円周方向に沿って一定間隔で放射状に突出する前記支持台を設けた端子ホルダを前記端子箱本体に収容することができる。
【０００８】
前記端子接続部は、前記支持台に組付けられる互いに対向する一対の対向部と該対向部と逆方向に突出する突出部を有する接続金具で構成され、該接続金具の突出部に前記電動機の内部線を接続するように構成することができる。
【０００９】
前記接続金具は、金属プレートをＵ字形状に折り曲げて一対の対向部を形成し、該Ｕ字状に折り曲げた折り曲げ部の一部を切り起こして前記対向部と逆方向に突出する前記突出部を形成することができる。
【００１０】
前記接続金具の突出部に前記内部線を接続する挿通孔を形成し、該挿通孔に内部線を挿通して半田付けしても良い。
【００１１】
前記接続金具の一対の対向部と、前記支持台の互いに対応する位置に取付孔を形成するとともに、これら一対の対向部と該支持台を締結する締結具を介して前記外部線を共締めするように構成しても良い。
【００１２】
前記端子箱の外壁を円筒状又は略円筒状に形成するとともに、前記電動機の出力軸が設けられた壁面と反対側の壁面に前記端子箱を並設し、該端子箱によって、前記電動機の内部線の導出孔を覆うように構成することができる。
【発明の効果】
【００１３】
本発明では、端子箱の中で、複数の端子接続部が、放射状に配置されていることにより、端子を収容する空間の断面形状が、円筒形状又は略円筒形状であっても、より多くの端子を収容することができる。
【発明を実施するための最良の形態】
【００１４】
以下、本発明の実施の形態を添付の図により説明する。図１は、本発明の実施形態に係る端子箱付電動機を示すものである。説明のため、各部材は適宜省略して示している。端子箱付電動機１０は、電動機本体部１１と、この電動機本体部１１に外部電力を供給あるいは制御信号を送るために電動機本体部１１内部から導出される内部線と電動機本体部１１外部から導入される外部線とを接続する端子箱１２とを備えている。
【００１５】
電動機本体部１１は、ハウジング１３内に、固定子１４と回転子１５が同心状に配置され、回転子１５の軸線状に挿通された回転軸（出力軸）１６を介して前記回転子１５が一体に組付けられている。前記固定子１４はハウジング１３の内周面に配設され、外部から供給される電力によって励磁されるものである。前記ハウジング１３は、一方を閉塞した略円筒状のハウジング本体１７とハウジング本体１７の他方開口端を閉塞するブラケット１８で構成され、このブラケット１８と前記ハウジング本体１７の閉塞された一方の壁部１７ａに、軸受１９，２０を介して前記回転軸１６を回転自在に支持している。すなわち、前記回転軸１６は、ブラケット１８からハウジング１３の外方に突出して回転動力を取り出せるようにしている。
【００１６】
前記ハウジング本体１７の壁部１７ａには、その厚さ方向に貫通する貫通孔２１が形成され、前記固定子１４の温度あるいは回転子１５の回転数等を検出するための検出部２２が設けられている。前記壁部１７ａの下部側には前記固定子１４の固定子巻線に電力を供給するためのリード線（内部線）２３ａを導出する貫通孔２４が形成されている。前記壁部１７ａには、前記検出部２２及び貫通孔２４を塞ぐカバー２５がネジ２６を介して取付けられている。
【００１７】
さらに、前記カバー２５の壁面２５ａには、その厚さ方向に貫通する貫通孔２７が形成され前記リード線２３ａおよび前記検出部２２からのリード線（内部線）２３ｂが貫通孔２７を通して前記端子箱１２内に導入されている。前記検出部２２は、例えば、ジェネレーター等で電動機の回転速度を検出するものである。
【００１８】
図１及び図２に示すように、フランジ部２８ａを設けた筒状の端子箱本体２８と端子箱本体２８の開口端を塞ぐ蓋部２９と、端子箱本体２８内に収容され、内部線と外部線を接続するための端子接続部３０を保持する端子ホルダ３１とで構成されている。図２は、蓋部２９を外して、図１の左方向から端子箱１２の内部を見た図である。蓋部２９は、図示しないネジ等を介して端子箱本体２８のフランジ部２８ａに組付けられている。説明のため、各部材は適宜省略して示している。
【００１９】
端子箱本体２８の外壁は、外側に突出するフランジ部２８ａを有し、略円筒形状の外形を有する電動機本体部１１に合わせて、略円筒形状に構成されている。この円筒形状部を電動機本体部１１のカバー２５に組付けて図示しないネジ等を介して端子箱本体２８が電動機本体部１１に組付けられている。端子箱本体２８は、内部線の導出孔２７が端子箱本体２８の内側に位置するように、前記カバー２５の外周に沿って設置されているため、内部線の導出孔２７が、蓋部２９と端子箱本体２８とによって覆われる構成となっている。
【００２０】
端子箱本体２８の内周面は略円筒形状に構成され、この内周面に沿って、端子ホルダ３１が収容されている。図３に端子ホルダ３１の斜視図を示す。実施形態の端子ホルダ３１は、端子箱本体２８内に組付けられた内蔵部品を避けるため、一部を切欠いた形状に形成されている。端子ホルダ３１は、端子箱本体２８の内周面形状に対応する円弧状の周面部３２と、この円弧状の周面部３２の一端に構成された底部３３とを有している。底部３３は、段差部３３ａを介して、周縁側の上部面３３ｂと内側の下部面３３ｃとから成り、上部面３３ｂは内部線の導出孔３４を有している。端子ホルダ３１は、上部面３３ｂに設けられた内部線の導出孔３４が、前記カバー２５の壁面２５ａに設けられた導出孔２７の位置に対応するように、端子箱本体２８内に収容され、底部３３に設けられたネジ孔３３ｄを介して、前記カバー２５の壁面２５ａにネジ止めされている。
【００２１】
周面部３２には、円周方向に沿って一定間隔で中心方向に向けて放射状に突出する複数の支持台３５が設けられている。各支持台３５相互間には、周面部３２から放射状に突出する略台形状の横断面形状を有する支持壁３６が設けられており、この支持壁３６は、両側外側面を介して支持台３５の両側面を支持している。なお、複数の支持台３５の内、両端部に位置する支持台３５については、片側を円弧状の周面部３２の内面側に設けられた側壁によって支持されている。この側壁は切り欠かれた円弧状の周面部３２の両端部３２ａを端子ホルダ３１の内側に折り曲げることによって形成されている。支持台３５には、板面に取付孔３５ａが設けられ、該取付孔３５を介して、端子接続部を構成する接続金具３０が支持台３５に組付けられる。図４に接続金具３０を組付けた端子ホルダ３１の斜視図を示す。接続金具３０は、図２に示すように、中心Ｏから半径ｒの距離に設置されており、ここで、中心Ｏは、端子ホルダ３１の円弧形状の中心点であり、この中心点は、電動機本体部１１の軸線方向に対する垂直面において、略円筒状に構成された電動機本体部１１の中心点と一致している。
【００２２】
図５に接続金具３０の斜視図を示す。接続金具３０は、互いに対向する一対の対向部３０ａと、この対向部３０ａと逆方向に突出する突出部３０ｂとを有する。金属プレートがＵ字形状に折り曲げられて一対の対向部３０ａが形成され、折り曲げられた折り曲げ部の一部が切り起こされて突出部３０ｂが形成される。対向部３０ａには、接続金具３０を支持台３２に取付けるための取付孔３０ｃが設けられ、突出部３０ｂには、内部線２３を接続するための挿通孔３０ｄが設けられている。
【００２３】
接続金具３０は、取付孔３０ｃと前記支持台３５の取付孔３５ａとを介して、ネジ３７によって支持台３５に組付けられ、この際、外部線４０もネジ３７によって共締めされる。外部線４０は、端子箱本体２８に外付けされた外部線導入部４２の第１の外部線導入口４３から、端子箱本体２８に設けられた第２の外部線導入口４４を介して端子箱１２内に導かれる。端子箱１２内に導かれた外部線４０の先端には、圧着端子４１が圧着されており、この圧着端子４１が、ネジ３７を介して、接続金具３０に取付けられることにより、外部線４０が共締めされる。
【００２４】
一方、導出孔２７及び導出孔３４を介して端子ホルダ３１内に導かれた内部線２３は、挿通孔３０ｄに挿通されて半田付けされることにより、接続金具３０に固定される。これにより、内部線２３と外部線４０が接続金具３０を介して接続される。
【００２５】
上記実施形態において、複数の端子接続部３０が、端子ホルダ３１を介して、端子箱１２の略円筒形状の内周面に沿って放射状に配置されているため、内部線２３と外部線４０とを接続するための接続部が直線状に設置される場合よりも、より多くの端子を収容できる。例えば、フランジの取付角が７０ｍｍである電動機の場合、Ｍ３．５のネジ３７を有する端子接続部３０を７個搭載することが可能になる。
【００２６】
また、接続金具３０の突出部３０ｂに挿通孔３０ｄが設けられているため、内部線２３を挿通孔３０ｄに挿通して、半田付けすることによって、内部線２３が容易に接続できる。また、このような構成を用いることにより、従来必要であったプリント基板は不要となって、部品コストが低減される。
【００２７】
さらに、端子箱１２が電動機本体部１１に設けられた内部線２３の導出孔２７を覆うように設置されているため、内部線２３が電動機本体部１１及び端子箱１２から外部に出ることがなく、シール性に優れている。
【００２８】
なお、本発明は、上記実施の形態に限定されるものではなく、例えば、検出部２２が設けられていない場合には、カバー２５を省略することができ、端子箱本体２８を直接、ハウジング本体１７に組付けることができる。また、端子ホルダ３１は端子箱本体２８内の内蔵部品がない場合には、完全な円筒形状に形成することができる。
【図面の簡単な説明】
【００２９】
【図１】本発明の実施形態に係る端子箱付電動機の一部を切欠いた縦断面図である。
【図２】本発明の実施形態に係る端子箱の蓋部を外して示す内部構造図である。
【図３】図１の端子箱に設けられている端子ホルダの斜視図である。
【図４】図３の端子ホルダと端子接続部の斜視図である。
【図５】図４に示された端子接続部の接続金具の斜視図である。
【符号の説明】
【００３０】
１０  端子箱付電動機
１１  電動機本体部
１２  端子箱
２３  内部線
２７  導出孔
２８  端子箱本体
３０  端子接続部
３０ａ  対向部
３０ｂ  突出部
３０ｃ  取付孔
３０ｄ  挿通孔
３１  端子ホルダ
３５  支持台
３５ａ  取付孔
４０  外部線
４１  圧着端子
【図１】
2008252996.tif 000003
【図２】
2008252996.tif 000004
【図３】
2008252996.tif 000005
【図４】
2008252996.tif 000006
【図５】
2008252996.tif 000007